(57)【特許請求の範囲】
【請求項１】
回転自在に設けられた導電体からなる回転体と、この回転体の中心を通る同一線上の回転体の両側部に一体に設けられた２つの可動接点と、この可動接点の移動軌跡上に配置された固定接点とを備えたスイッチにおいて、４段切換構成時に回転体の両側部の可動接点が共に接触する２つの固定接点が配置される配置位置を結ぶ直線を基準線とし、この基準線を基準として略４５度と、略６０度ずつに分割した位置を固定接点位置とし、基準線上に配置される第１の固定接点に対して略９０度の角度位置に第２の固定接点を、略１８０度の位置に第３の固定接点を夫々配置し、更に上記第１の固定接点に対して略２２５度から略２４０度の角度位置に亘って形成された第４の固定接点を配置して、上記第１、第３の固定接点、及び上記第４の固定接点の第１の固定接点に対して略２４０度の角度位置にあたる箇所により３段切換構成を、若しくは上記第１の固定接点、及び上記第４の固定接点の第１の固定接点に対して略２４０度の角度位置にあたる箇所により別の３段切換構成を、上記第１、第２、第３の固定接点、及び上記第４の固定接点の第１の固定接点に対して略２２５度の角度位置にあたる箇所により４段切換構成を夫々設定したことを特徴とするスイッチ。
【発明の詳細な説明】
【０００１】
【産業上の利用分野】
本発明は、照明器具の切換えに用いるスイッチに関する。
【０００２】
【従来の技術】
従来、この種のスイッチには実開昭５３−１２８８７０号に見られるものがある。このスイッチは固定接点の配置位置と、段座部の段数とで、３段切換え、或いは４段切換えが設定される。
【０００３】
例えば図５に示すように３段切換えの場合には回転体１の回転中心の両側に一体に設けた共通接点となる可動接点２の回転軌跡上で且つ回転体１の回転中心に対して互いに略６０度の角度離れた位置に２つの固定接点３ｃ，３ｄを配置して構成される。  
【０００４】
そしてこの図５の場合には図示する回転体１の位置で可動接点２は固定接点３ｃ，３ｄから外れた位置にあり、この状態では負荷４ａ，４ｂが共にオフ状態にある。次に回転体１を反時計方向に略６０度回転させると、可動接点２が固定接点３ｃに接触して、電源ＡＣ、回転体１、可動接点２、固定接点３ｃ、負荷４ａ、電源ＡＣの通電回路が構成され、負荷４ａがオンとなる。更に回転体１を反時計方向に略６０度回転させると、可動接点２が固定接点３ｃから外れ、次の固定接点３ｄに接触して、電源ＡＣ、回転体１、可動接点２、固定接点３ｄ、負荷４ｂ、電源ＡＣの通電回路が構成され、負荷４ｂがオンとなる。
【０００５】
更に回転体１を反時計方向に略６０度回転させると、可動接点２が固定接点３ｄから外れ、負荷４ｂがオフする。つまり回転体１が図示する状態から略１８０度回転した状態となって、両負荷４ａ，４ｂが共にオフしている状態に戻る。図５は負荷４ａ，４ｂを順次切換えた後にオフ状態となる３段切換えが行なえる。
【０００６】
図６は別の３段切換えの場合を示しており、この場合には固定接点３ｃ，３ｄを共通接続するとともに、固定接点３ｄに対して略１２０度の角度の位置に固定接点３ｅを設けてある。そして図示した状態では負荷４ａ，４ｂが共にオフ状態にある。次に回転体１を反時計方向に略６０度回転させると、両側の可動接点２が固定接点３ｃ，３ｅに接触して、電源ＡＣ、回転体１、可動接点２，２、固定接点３ｃ及び３ｅ、負荷４ａ及び４ｂ、電源ＡＣの通電回路が構成され、負荷４ａ，４ｂがオンとなる。更に回転体１を反時計方向に略６０度回転させると、一方の可動接点２が固定接点３ｃから外れ、次の固定接点３ｄに接触し、また他方の可動接点２が固定接点３ｅから外れる。従って電源ＡＣ、回転体１、可動接点２、固定接点３ｄ、負荷４ａ、電源ＡＣの通電回路が構成され、負荷４ａのみがオンとなる。
【０００７】
更に回転体１を反時計方向に略６０度回転させると、一方の可動接点２が固定接点３ｄから外れ、負荷４ａがオフする。つまり回転体１が図示する状態から略１８０度回転した状態となって、両負荷４ａ，４ｂが共にオフしている状態に戻る。
【０００８】
このようにこの図６の場合には負荷４ａ，４ｂが共にオンとなる状態と、負荷４ａのみがオンしている状態と、負荷４ａ，４ｂが共にオフしている状態の３段階に切換えることができる。
【０００９】
図７は４段切換えの場合を示しており、この場合には略４５度ずつに分割して、４５度ずつ離れた位置に３つの固定接点３ｆ、３ｇ、３ｈを配置し、更に左端の固定接点３ｈに対して略９０度離れた位置に４つ目の固定接点３ｉを配置したもので、固定接点３ｆ，３ｇを共通接続して負荷４ａの一端に接続し、固定接点３ｉを負荷４ｂの一端に接続し、更に固定接点３ｈを負荷４ｃの一端に接続した構成となっている。
【００１０】
そしてこの図７の場合図示した状態では負荷４ａ，４ｂ，４ｃが共にオフ状態にある。次に回転体１を反時計方向に略４５度回転させると、両側の可動接点２が固定接点３ｆ，３ｉに接触して、電源ＡＣ、回転体１、可動接点２，２、固定接点３ｆ及び３ｉ、負荷４ａ及び４ｂ、電源ＡＣの通電回路が構成され、負荷４ａ，４ｂがオンとなる。更に回転体１を反時計方向に略４５度回転させると、一方の可動接点２が固定接点３ｆから外れ、次の固定接点３ｇに接触し、また他方の可動接点２が固定接点３ｉから外れる。従って電源ＡＣ、回転体１、可動接点２、固定接点３ｇ、負荷４ａ、電源ＡＣの通電回路が構成され、負荷４ａのみがオンとなる。
【００１１】
更に回転体１を反時計方向に略６０度回転させると、一方の可動接点２が固定接点３ｇから外れて次の固定接点３ｈに接触する。従って負荷４ａがオフするとともに、電源ＡＣ、回転体１、可動接点２、固定接点３ｈ、負荷４ｃ、電源ＡＣの通電回路が構成され、負荷４ｃのみがオンとなる。また更に回転体１を反時計方向に略４５度回転させると、一方の可動接点２が固定接点３ｈから外れる。つまり回転体１が図示する状態から略１８０度回転した状態となって、負荷４ａ，４ｂ，４ｃが共にオフしている状態に戻る。
【００１２】
このようにこの図７の場合には負荷４ａ，４ｂが共にオンとなる状態と、負荷４ａのみがオンしている状態と、負荷４ｃのみがオンしている状態と、更に３つの負荷４ａ，４ｂ，４ｃが共にオフしている状態の４段階に切換えることができる。
【００１３】
【発明が解決しようとする課題】
ところで上記従来例の場合には固定接点の配置が３段、４段の各切換構成で異なり、しかも３段の切換えと、４段の切換えは固定接点の配置角度も異なる結果、部品の共通化が難しく、夫々段座部を本体に一体形成するような場合には本体を夫々の切換え仕様に対して別部品としていたため、部品点数が多くなるという問題があり、更に組み立ての場合、固定接点位置が異なり自動組み立てが難しいという問題があった。
【００１４】
本発明は、上述の問題点に鑑みて為されたもので、その目的とするところは部品の共通化が可能な固定接点配置を持つスイッチを提供するにある。
【００１５】
【課題を解決するための手段】
上記の目的を達成するために、本発明は、回転自在に設けられた導電体からなる回転体と、この回転体の中心を通る同一線上の回転体の両側部に一体に設けられた２つの可動接点と、この可動接点の移動軌跡上に配置された固定接点とを備えたスイッチにおいて、４段切換構成時に回転体の両側部の可動接点が共に接触する２つの固定接点が配置される配置位置を結ぶ直線を基準線とし、この基準線を基準として略４５度と、略６０度ずつに分割した位置を固定接点位置とし、基準線上に配置される第１の固定接点に対して略９０度の角度位置に第２の固定接点を、略１８０度の位置に第３の固定接点を夫々配置し、更に上記第１の固定接点に対して略２２５度から略２４０度の角度位置に亘って形成された第４の固定接点を配置して、上記第１、第３の固定接点、及び上記第４の固定接点の第１の固定接点に対して略２４０度の角度位置にあたる箇所により３段切換構成を、若しくは上記第１の固定接点、及び上記第４の固定接点の第１の固定接点に対して略２４０度の角度位置にあたる箇所により別の３段切換構成を、上記第１、第２、第３の固定接点、及び上記第４の固定接点の第１の固定接点に対して略２２５度の角度位置にあたる箇所により４段切換構成を夫々設定したものである。
【００１６】
【作用】
而して、本発明によれば３，４段の切換構成において、第１の固定接点と第３の固定接点との配置位置が共通とすることができ、且つ従来の３段切換構成と４段切換構成とでは別々に配置していた接点を１つの接点とした第４の固定接点を設けることにより、この接点配置も共通とすることができるために部品の共通化が更に可能となる。このとき、第４の固定接点を板金の絞り加工で形成すれば速結端子化を容易に行うことができる。また切換段数が異なっても固定接点の配置位置を共通とすることができるために、組み立て時の接点固定治具を共通化することができる。
【００１７】
【実施例】
以下本発明を実施例により説明する。
【００１８】
（実施例１）
図１は本実施例の要部の分解斜視図を示しており、本実施例は実開昭５３−１２８８７０号と基本的な構成は同じ構成となっており、絶縁体からなる本体５の底部にリブ６と、鋸波状段部７とで区切って形成した段座部８上に予め決めてある配置位置Ａ…に埋め込む鋲状の複数個の固定接点３１…３３、及び板金の絞り加工によって形成された固定接点３４と、金属導体からなる軸体９と、２個の可動接点２と複数の爪１０とを有する導電体からなる回転体１と、下向きの舌片１１及び係合片１２を有するハンドル金具１３と、絶縁材料のハンドル１４と、コイルバネ１５と、押さえ金具１６とよりなり、軸体９は本体５両端が支持された押さえ金具１６と本体５とによりその両端が支承され、この軸体９に回転体１、ハンドル金具１３、ハンドル１４及びコイルばね１５が回動可能に嵌合し、ハンドル金具１３とハンドル１４はハンドル金具１３の係合片１２がハンドル１４の切欠１７に係合して両者は一体に回転し、且つコイルばね１５の両端は押さえ金具１５とハンドル１４に固定されていて、コイルばね１５は常時ハンドル１４とハンドル金具１３を介して回転体１を本体５の底部に押圧すると同時にハンドル１４を回動したときこれに復帰力を付与する役目をしている。
【００１９】
而してハンドル１４を引き紐（図示せず）によって回動すると、ハンドル金具１３の下向きの舌片１１が回転体１の爪１０に引っ掛かって回転体１が回転し、回転体１に設けた二つの可動接点２が扇形区画の固定接点３１…上を摺動しながら、１ステップ回動する。引き紐を引く手を緩めると、回転体１はその位置に止まり、ハンドル金具１３の舌片１１が回転体１上を滑ってハンドル１４とハンドル金具１３のみがコイルばね１５の復帰力で元に戻る。そしてもう一度引き紐を引くと前と同じ動作で回転体１が更に１ステップ移動する。尚固定接点３１…は本体５の裏面に設けた端子部（図示せず）を通じて負荷に接続される。また回転体１は軸体９を通じて電源に接続される。
【００２０】
このようにして接点切換えを行なう構成において、本発明では、鋲状の固定接点３１…３３、及び板金の絞り加工によって形成された固定接点３４の配置位置Ａ…は図２に示す位置関係に設定してあり、３段、４段の各切換構成に応じて固定設点３１…を実装するか否かを決め、また切換段数に応じた段座形状を決めることで切換段数が変わっても固定接点位置は予め決められた位置を選択するだけであるため組み立て自動機を採用する場合に同じ組み立て自動機が使用することができるようになっている。
【００２１】
ここで図２に示す位置関係を説明すると、４段切換構成時に回転体１の中心を介して回転体１の両側部の可動接点２、２が共に接触する位置に配置される２つの固定接点配置位置Ａ，Ｃを結ぶ直線を基準線Ｌとし、この基準線Ｌを基準として略４５度と、略６０度ずつに分割した位置を固定接点位置Ａ…とし、基準線Ｌ上の固定接点配置位置Ａ（又はＣ）に第１の固定接点３１を配置し、さらに第１の固定接点３１の配置位置Ａに対して略１８０度の固定接点配置位置Ｃに第３の固定接点３３を配置するとともに、固定接点配置位置Ａに対して略２２５度から略２４０度の角度位置に亘って形成された固定接点配置位置Ｄに、図３に示す略１５度に亘って板金を絞り加工することで形成された第４の固定接点３４を配置して、第１、第３の固定接点３１、３３、及び第４の固定接点３４の第１の固定接点３１の配置位置Ａに対して略２４０度の角度位置にあたる箇所により図６と同様な負荷切換が行なえる３段切換構成を、また第１の固定接点３１、及び第４の固定接点３４の第１の固定接点３１の配置位置Ａに対して略２４０度の角度位置にあたる箇所とで図５と同様な負荷切換が行なえる別の３段切換構成を、さらに固定接点配置位置Ａに対して略９０度の角度だけずれている固定接点配置位置Ｂに第２の固定接点３２を配置して、第１、第２、第３の固定接点３１、３２、３３、及び第４の固定接点３４の第１の固定接点３１の配置位置Ａに対して略２２５度の角度位置にあたる箇所により図７に示す４段切換構成を夫々設定可能としている。したがって３，４段の切換構成において、第１の固定接点３１と第３の固定接点３３との配置位置が共通とすることができ、且つ従来の３段切換構成と４段切換構成とでは別々に配置していた接点を１つの接点とした第４の固定接点３４を設けることにより、この接点配置も共通とすることができるために部品の共通化をさらに図ることができる。
【００２２】
また上記実施例では段座部８上に、上記固定接点配置位置Ａ…を設定しているが、段座部８を固定接点配置位置Ａ…の外側（若しくは内側）に形成して、切換段数の違いによる段差部８の成形を、金型に入れ子を用いることにより一つの金型で対応させることができるようにしてもよい。
【００２３】
また上記実施例では鋲状の第１、第２、第３の固定接点３１…３３、及び板金絞り加工の第４の固定接点３４を用いているが、図４に示すように板状の固定接点３１’…３４’を用いて構成すれば、これらの固定接点３３’、３４’に一体に形成された負荷用接触片１８を図の破線位置で切断することにより、３段、４段の切換構成に対応させることができ、切断しなければ２段の切換構成に対応させることができる。
【００２４】
更に外部の電線との接続を容易にするために速結端子化する場合には、固定接点３１…を板金加工によって形成する必要があるが、このとき、３段、４段の切換構成に共通の固定接点３４は、板金を絞り加工することで容易に形成することができ、速結端子化を容易に行うことができる。
【００２５】
【発明の効果】
本発明は、３段、４段の切換構成を設定するスイッチにおいて、４段切換構成時に回転体の両側部の可動接点が共に接触する２つの固定接点が配置される配置位置を結ぶ直線を基準線とし、この基準線を基準として略４５度と、略６０度ずつに分割した位置を固定接点位置とし、基準線上に配置される第１の固定接点に対して略９０度の角度位置に第２の固定接点を、略１８０度の位置に第３の固定接点を夫々配置し、更に上記第１の固定接点に対して略２２５度から略２４０度の角度位置に亘って形成された第４の固定接点を配置して、上記第１、第３の固定接点、及び上記第４の固定接点の第１の固定接点に対して略２４０度の角度位置にあたる箇所により３段切換構成を、若しくは上記第１の固定接点、及び上記第４の固定接点の第１の固定接点に対して略２４０度の角度位置にあたる箇所により別の３段切換構成を、上記第１、第２、第３の固定接点、及び上記第４の固定接点の第１の固定接点に対して略２２５度の角度位置にあたる箇所により４段切換構成を夫々設定したので、３，４段の切換構成において、第１の固定接点と第３の固定接点との配置位置が共通とすることができ、且つ従来の３段切換構成と４段切換構成とでは別々に配置していた接点を１つの接点とした第４の固定接点を設けることにより、この接点配置も共通とすることができるために部品の共通化が更に可能となり、このとき、第４の固定接点を板金の絞り加工で形成すれば速結端子化を容易に行うことができ、また固定接点の配置位置を共通とすることができるために、組み立て時の接点固定治具を共通化することができ、自動組み立ても容易に行なえるという効果がある。
【図面の簡単な説明】
【図１】本発明の一実施例の一部省略且つ破断せる分解斜視図である。
【図２】本発明の一実施例の固定接点配置位置の説明図である。
【図３】本発明の一実施例に用いる固定接点を示す斜視図である。
【図４】本発明の他の実施例の固定接点配置位置の説明図である。
【図５】従来の３段切換の説明用の概略構成図である。
【図６】従来の３段切換の説明用の概略構成図である。
【図７】従来の４段切換の説明用の概略構成図である。
【符号の説明】
１        回転体
２        可動接点
３１…    固定接点
５        本体
８        段座部
Ａ…      固定接点配置位置
【図１】
0003566732.tif 000002
【図２】
0003566732.tif 000003
【図３】
0003566732.tif 000004
【図４】
0003566732.tif 000005
【図５】
0003566732.tif 000006
【図６】
0003566732.tif 000007
【図７】
0003566732.tif 000008